(57)【要約】【課題】四方からの振動や衝撃によるメカシャーシのがたつきを防止できる簡素な構成で安価なディスク装置を提供する。【解決手段】サブシャーシ１２にディスク挿入方向と平行な腕を持つＬ字状に折れ曲がったハリ部材１４を設ける。ハリ部材１４は断面が例えば円形を有しており、これがストッパ部材１５における平行でない２面に線接触する。この構成をサブシャーシ１２の両側壁に設け、２つのストッパ部材１５が２つのハリ部材１４を挟み込んで付勢するように構成することで、本実施形態ではサブシャーシ１２（メカシャーシ１３を含む）がディスク挿入方向と垂直な２方向（Ｚ方向及びＲ方向）へがたつきを防止しつつ付勢される。【選択図】          図２
2004227708.tif 000002
【特許請求の範囲】
【請求項１】
サブシャーシに固定されたメカシャーシが弾性部材を介してメインシャーシに担持されているディスク装置において、
前記サブシャーシの両側壁に設けられ、ディスク挿入方向と平行な腕を持つハリ部材と、
前記ハリ部材と係合するストッパ部材とを有し、
前記ストッパ部材が前記ハリ部材の前記腕を付勢することを特徴とするディスク装置。
【請求項２】
前記ハリ部材は前記サブシャーシと一体形成されていることを特徴とする請求項１記載のディスク装置。
【請求項３】
前記ストッパ部材は前記メインシャーシと一体形成されていることを特徴とする請求項１又は２記載のディスク装置。
【請求項４】
サブシャーシに固定されたメカシャーシが弾性部材を介してメインシャーシに担持されているディスク装置において、
前記サブシャーシを挟む位置に設けられ、ディスク挿入方向と平行な腕を持つハリ部材と、
前記サブシャーシに設けられ、前記ハリ部材と係合するストッパ部材とを有し、
前記ストッパ部材が前記ハリ部材の前記腕を付勢することを特徴とするディスク装置。
【請求項５】
前記ストッパ部材は前記サブシャーシと一体形成されていることを特徴とする請求項４記載のディスク装置。
【請求項６】
前記ハリ部材は前記メインシャーシと一体形成されていることを特徴とする請求項４又は５記載のディスク装置。
【請求項７】
前記ストッパ部材は前記腕を前記ディスク挿入方向と垂直な２方向から付勢することを特徴とする請求項１から６の何れか１項に記載のディスク装置。
【請求項８】
前記ハリ部材はＬ字形又はコ字形であることを特徴とする請求項１から７の何れか１項に記載のディスク装置。
【請求項９】
前記ハリ部材の断面が円形であることを特徴とする請求項１から８の何れか１項に記載のディスク装置。
【請求項１０】
前記ハリ部材と前記ストッパ部材とが２線又は２面で接触していることを特徴とする請求項１から８の何れか１項に記載のディスク装置。
【発明の詳細な説明】
【０００１】
【発明の属する技術分野】
本発明は、ディスク装置に関し、特に防振設計されたディスク装置に関する。
【０００２】
【従来の技術】
従来、ＣＤ−ＲＯＭやＤＶＤ−ＲＯＭ等のディスクを記録・再生するディスク装置は、大まかに記録媒体が装着されるメカシャーシと、これを担持するサブシャーシと、メカシャーシを含めてサブシャーシ全体を担持するメインシャーシとを有して構成されている。
【０００３】
例えば以下に示す特許文献１で開示されているディスク装置１００は、図１に示すように、メカシャーシに相当する保持体（支持板を含む）１０３がサブシャーシに相当するカム壁１０２及びピン１０２ａを用いてメインシャーシに相当するアウターケース１０１に摺動可能に保持された構成を有している。この構成において、保持体１０３はサスペンション１０４によりアウターケース１０１に付勢されている。この際、光学系が搭載された保持体１０３へ伝播する振動や衝撃を減衰させるために、両者の間にはダンパ１０７を介在させる。
【０００４】
【特許文献１】
特開平２００２−１０９８０９号公報
【０００５】
【発明が解決しようとする課題】
しかしながら、上記のような構成では、ディスクの挿入方向（以下、Ｚ方向という）やディスクの延在面に対して垂直方向（以下、Ｒ方向という）への振動や衝撃に対するがたつきは防止されているものの、ピン１０２ａの延在方向（以下、Ｊ方向という）への振動や衝撃に対するがたつきは防止されていため、この方向への振動や衝撃が加わった場合、ダンパが十分に弾性部材としての機能を発揮しないという問題が存在する。また、サブシャーシを支持するボスを太くしても、これを支持する部材ががたついてしまうため、剛性向上によるがたつき防止効果を得ることができない。更に、上記従来技術では、メカシャーシをダンパを介してメインシャーシへ付勢するためにサスペンションを用いているために、構成が複雑で且つ組み立て作業が煩雑で高価となるという問題も存在する。
【０００６】
本発明は、このような問題に鑑みてなされたもので、四方からの振動や衝撃によるメカシャーシのがたつきを防止できる簡素な構成で安価なディスク装置を提供することを目的とする。
【０００７】
【課題を解決するための手段】
かかる目的を達成するために、本発明は、請求項１記載のように、サブシャーシに固定されたメカシャーシが弾性部材を介してメインシャーシに担持されているディスク装置において、前記サブシャーシの両側壁に設けられ、ディスク挿入方向と平行な腕を持つハリ部材と、前記ハリ部材と係合するストッパ部材とを有し、前記ストッパ部材が前記ハリ部材の前記腕を付勢するように構成される。このようにディスク挿入方向と平行な部分を付勢することで、四方からの振動や衝撃によるサブシャーシ及びメカシャーシががたつきを防止しつつメインシャーシへ付勢されるため、間に介在するダンパの振動・衝撃吸収力を最大限に発揮させることができ、効率よく振動を抑制し、動作を安定化させることが可能となる。更に、以上のような効果をハリ部材とストッパ部材という簡素な構成で実現しているため、大型化が抑制され、且つ組み立ても容易となり、更に安価に製造することができる。
【０００８】
また、請求項１記載の前記ディスク装置は、好ましくは請求項２記載のように、前記ハリ部材が前記サブシャーシと一体形成される。これにより、ハリ部材の剛性を高め、更に組み立てが容易化される。
【０００９】
また、請求項１又は２記載の前記ディスク装置は、好ましくは請求項３記載のように、前記ストッパ部材が前記メインシャーシと一体形成される。これにより、ストッパ部材の剛性を高め、更に組み立てが容易化される。
【００１０】
また、本発明は、請求項４記載のように、サブシャーシに固定されたメカシャーシが弾性部材を介してメインシャーシに担持されているディスク装置において、前記サブシャーシを挟む位置に設けられ、ディスク挿入方向と平行な腕を持つハリ部材と、前記サブシャーシに設けられ、前記ハリ部材と係合するストッパ部材とを有し、前記ストッパ部材が前記ハリ部材の前記腕を付勢するように構成される。このようにディスク挿入方向と平行な部分を付勢することで、四方からの振動や衝撃によるサブシャーシ及びメカシャーシががたつきを防止しつつメインシャーシへ付勢されるため、間に介在するダンパの振動・衝撃吸収力を最大限に発揮させることができ、効率よく振動を抑制し、動作を安定化させることが可能となる。更に、以上のような効果をハリ部材とストッパ部材という簡素な構成で実現しているため、大型化が抑制され、且つ組み立ても容易となり、更に安価に製造することができる。
【００１１】
また、請求項４記載の前記ディスク装置は、好ましくは請求項５記載のように、前記ストッパ部材が前記サブシャーシと一体形成される。これにより、ハリ部材の剛性を高め、更に組み立てが容易化される。
【００１２】
また、請求項４又は５記載の前記ディスク装置は、好ましくは請求項６記載のように、前記ハリ部材が前記メインシャーシと一体形成される。これにより、ストッパ部材の剛性を高め、更に組み立てが容易化される。
【００１３】
また、請求項１から６の何れか１項に記載の前記ディスク装置は、好ましくは請求項７記載のように、前記ストッパ部材が前記腕を前記ディスク挿入方向と垂直な２方向から付勢するように構成される。
【００１４】
また、請求項１から７の何れか１項に記載の前記ディスク装置は、例えば請求項８記載のように、前記ハリ部材がＬ字形又はコ字形であってもよい。
【００１５】
また、請求項１から８の何れか１項に記載の前記ディスク装置は、例えば請求項９記載のように、前記ハリ部材の断面が円形であってもよい。これにより、ハリ部材とストッパ部材とを線接触とすることが達成される。
【００１６】
また、請求項１から８の何れか１項に記載の前記ディスク装置は、例えば請求項１０記載のように、前記ハリ部材と前記ストッパ部材とが２線又は２面で接触するように構成されてもよい。
【００１７】
【発明の実施の形態】
以下、本発明の好適な実施形態について図面を用いて詳細に説明する。
【００１８】
〔第１の実施形態〕
まず、本発明の第１の実施形態について図面を用いて詳細に説明する。図２は、本実施形態によるディスク装置１０の概略構成を示す上面図であり、図３は、図２に示すディスク装置１０のＡ−Ａ断面図である。
【００１９】
図２及び図３に示すように、ディスク装置１０は、メカシャーシ１３がサブシャーシ１２に固定されており、サブシャーシ１２に固定されたピン１２ａがメインシャーシ１１に設けられたカム部に係合されることで、サブシャーシ１２がメインシャーシ１１に支持されている。これにより、サブシャーシ１２（メカシャーシ１３も含む）が、メインシャーシ１１に対してピン１２ａを軸として回動可能であって、且つサブシャーシ１２のディスク挿入方向（以下、Ｚ方向という）へのがたつきが防止されるように支持される。尚、メカシャーシ１３は、ＣＤ−ＲＯＭ（ＲやＲＷも含む）やＤＶＤ−ＲＯＭ等のディスク形の記録媒体が図示しないターンテーブルに装着される構成を有している。
【００２０】
また、メカシャーシ１３とメインシャーシ１１との間にはゴムやバネ等の弾性部材で構成されたダンパ１７が介在しており、メカシャーシ１３へ伝播する振動や衝撃が減衰されるように構成されている。尚、ダンパ１７はメカシャーシ１３の四隅にそれぞれ設けられる。
【００２１】
このような構成において、サブシャーシ１２には、図示のようなディスク挿入方向と平行な腕を持つＬ字状に折れ曲がった棒状のハリ部材１４が設けられており、これがメインシャーシ１１に固定されたストッパ部材１５に係合されている（図３参照）。図４に、図３における領域Ｂの拡大図を示す。
【００２２】
図４に示すように、ハリ部材１４は断面が例えば円形を有しており、これがストッパ部材１５における平行でない２面、好ましくはディスク挿入方向と平行な２面に線接触する。これにより、ディスク挿入方向と平行な腕がディスク挿入方向と垂直を成す２方向から付勢される。
【００２３】
以上の構成をサブシャーシ１２の両側壁に設け、２つのストッパ部材１５が２つのハリ部材１４を挟み込んで付勢するように構成することで、本実施形態ではサブシャーシ１２（メカシャーシ１３を含む）がディスク挿入方向と垂直な２方向（以下、Ｚ方向及びＲ方向という）へがたつきを防止しつつ付勢される。尚、図３及び図４に示すような状態（ディスクチャッキング状態）において、ハリ部材１４とストッパ部材１５とは、図４に示すような２方向への応力が発生するように変形した状態で係合される。これは、サブシャーシ１２を確実に固定するためである。従って、ディスクチャッキングを解除した状態（図５参照）では、ハリ部材１４が図５に示すように元の状態へ復元する。
【００２４】
以上のように構成することで、本実施形態では四方からの振動や衝撃によるサブシャーシ及びメカシャーシをがたつきを防止しつつメインシャーシへ付勢されるため、間に介在するダンパの振動・衝撃吸収力を最大限に発揮させることが可能となる。これにより、効率よく振動を抑制し、動作を安定化させることが可能となる。更に、以上のような効果をハリ部材とストッパ部材という簡素な構成で実現しているため、大型化が抑制され、且つ組み立ても容易となり、更に安価に製造することができる。
【００２５】
また、本実施形態において、上記のハリ部材１４はサブシャーシ１２と一体形成されるとよい。更に、ストッパ部材１５はメインシャーシ１１と一体形成されるとよい。これにより、より安価で組み立ての容易なディスク装置を実現することができる。
【００２６】
また、上記の構成において、メカシャーシ１３の重心がハリ部材１４とストッパ部材１５とが係合する位置の近傍となるように構成するとよい。これにより、サブシャーシ１２に生じた振動や衝撃が可能な限りハリ部材１４の延在する方向と垂直方向からハリ部材１４及びストッパ部材１５へ入力するように構成されるため、ハリ部材１４の寿命を長くすることができる。尚、これは、重量の比較的重いスピンドルモータ１６を２つのハリ部材１４とストッパ部材１５とが係合する部分を結ぶ直線上に配置させることで比較的容易に実現することができる。
【００２７】
〔第２の実施形態〕
次に、本発明の第２の実施形態について図面を用いて詳細に説明する。第１の実施形態ではハリ部材１４をＬ字形を有していた。しかしながら、本発明ではこれに限定されず、ディスク挿入方向と平行な腕を持ち、この腕が弾性的に変移できる構成であれば、如何様にも変形することができる。その一例を図６に示し、第２の実施形態として以下に説明する。
【００２８】
図６は、本実施形態によるディスク装置２０の構成を示す上面図である。図６に示すように、本実施形態によるハリ部材２４は、コ字形をしており、サブシャーシ１２に固定された両端の腕を連結する中央の腕が、ストッパ部材１５に係合される構成を有している。これにより、第１の実施形態と同様に、ハリ部材２４を介してサブシャーシ１２（メインシャーシ１３を含む）を付勢することが可能となる。尚、他の構成は第１の実施形態と同様であるため、ここでは説明を省略する。
【００２９】
〔第３の実施形態〕
次に、本発明の第３の実施形態について図面を用いて詳細に説明する。第１の実施形態では、ハリ部材１４がサブシャーシ１２に固定され、ストッパ部材１５がメインシャーシ１１に固定されていた。これは第２の実施形態でも同様である。しかしながら、本発明ではこれに限定されず、ハリ部材１４がメインシャーシ１１に固定され、ストッパ部材１５がサブシャーシ１２に固定された構成であってもよい。以下、このように構成した場合を第３の実施形態として図７を用いて説明する。
【００３０】
図７は、本実施形態によるディスク装置３０の構成を示す上面図である。図７に示すように、本実施形態によるディスク装置３０では、ハリ部材１４がメインシャーシ１１に固定され、ストッパ部材１５がサブシャーシ１２に固定されている。これにより、第１の実施形態と同様に、ハリ部材１４を介してサブシャーシ１２（メインシャーシ１３を含む）を付勢することが可能となる。尚、他の構成は第１の実施形態と同様であるため、ここでは説明を省略する。また、このような構成は第２の実施形態に適用することも可能である。
【００３１】
〔第４の実施形態〕
次に、本発明の第４の実施形態について図面を用いて詳細に説明する。第１の実施形態では、ハリ部材１４とストッパ部材１５とが２線で接触するように構成していた。しかしながら、本発明ではこれに限定されず、ハリ部材とストッパ部材とが２線又は２面で接触するのであれば、如何様にも変形することができる。以下、この変形例について、いくつか具体例をあげる。
【００３２】
図８は、本実施形態によるハリ部材とストッパ部材との構成例を示す断面図である。尚、図面は第１の実施形態における図４の領域Ｂの拡大図に対応しており、第１の実施形態と同一の構成には同一の符号を付している。
【００３３】
図８（ａ）は、ハリ部材４４の断面が角のとれたひし形となり、ハリ部材４４とストッパ部材１５とが面接触するように構成した場合の例である。図８（ｂ）は、ハリ部材５４の断面が角のとれたＬ字形となり、ハリ部材５４とストッパ部材１５とが線接触するように構成した場合の例である。図８（ｃ）及び（ｄ）は、ハリ部材６４の断面が四角形の交わらない２辺に半円を付け加えた形状となり、ハリ部材６４とストッパ部材１５とが線又は面接触するように構成した場合の例である。
【００３４】
このように、本発明においてハリ部材は接触部分における角をとることで、ストッパ部材との引っ掛かり等が防止された構成であれば、線接触，面接触に関わらず、如何様にも変形することができる。尚、他の構成は第１の実施形態と同様であるため、ここでは説明を省略する。また、このような構成は第２又は第３の実施形態に適用することも可能である。
【００３５】
〔他の実施形態〕
以上、説明した実施形態は本発明の好適な一実施形態にすぎず、本発明はその趣旨を逸脱しない限り種々変形して実施可能である。
【００３６】
【発明の効果】
以上説明したように、本発明によれば、サブシャーシ及びメカシャーシをがたつきを防止しつつメインシャーシへ付勢されるため、間に介在するダンパの振動・衝撃吸収力を最大限に発揮させることが可能となる。これにより、効率よく振動を抑制し、動作を安定化させることが可能となる。更に、以上のような効果をハリ部材とストッパ部材という簡素な構成で実現しているため、安価であり、組み立ても容易である。
【図面の簡単な説明】
【図１】従来技術によるディスク装置１００の構成を示す上面図である。
【図２】本発明の第１の実施形態によるディスク装置１０の概略構成を示す上面図である。
【図３】図２に示すディスク装置１０のＡ−Ａ断面図である。
【図４】図３に示すディスク装置１０の領域Ｂの拡大図である。
【図５】ディスクチャッキング解除時のディスク装置１０のＡ−Ａ断面図である。
【図６】本発明の第２の実施形態によるディスク装置２０の構成を示す上面図である。
【図７】本発明の第３の実施形態によるディスク装置３０の構成を示す上面図である。
【図８】本発明の第４の実施形態によるハリ部材（４４，５４，６４）の断面を示す図である。
【符号の説明】
１０、２０、３０  ディスク装置
１１  メインシャーシ
１２  サブシャーシ
１３  メカシャーシ
１４、２４、４４、５４、６４  ハリ部材
１５  ストッパ部材
１６  スピンドルモータ
１７  ダンパ
【図１】
2004227708.tif 000003
【図２】
2004227708.tif 000004
【図３】
2004227708.tif 000005
【図４】
2004227708.tif 000006
【図５】
2004227708.tif 000007
【図６】
2004227708.tif 000008
【図７】
2004227708.tif 000009
【図８】
2004227708.tif 000010